(57)【特許請求の範囲】
【請求項１】
第１の加入者識別モジュール（ＳＩＭ）に関連する第１のネットワークとユーザ機器（ＵＥ）デバイスとの間の呼接続を処理することと、
前記ＵＥデバイスの第２のＳＩＭに関連する第２のネットワークにステータスアップデートメッセージを送ることと
を備え、前記ステータスアップデートメッセージは、前記第２のネットワークに、前記第２のＳＩＭに向けられる呼接続要求を受信することに応答してビジーステータスメッセージを提供するように命令し、前記ステータスアップデートメッセージを送った後、前記第２のネットワークが前記呼接続要求を受信した場合、前記ＵＥデバイスは、前記第２のネットワークが前記呼接続要求を受信したことに応答して、前記第２のネットワークからページングメッセージを受信しない、
方法。
【請求項２】
前記ステータスアップデートメッセージは、前記ページングメッセージを送ることを避けるように前記第２のネットワークに命令し、前記ビジーステータスメッセージは、前記ＵＥデバイスが連絡不能である場合に前記第２のネットワークによって提供される連絡不能ステータスメッセージと異なる、請求項１に記載の方法。
【請求項３】
前記呼接続は、前記ＵＥデバイスから前記第１のＳＩＭに関連する前記第１のネットワークへ呼の発信を開始する要求の受信に応答して処理され、前記ステータスアップデートメッセージは、前記呼の発信の開始に先立って前記第２のＳＩＭに関連する前記第２のネットワークに送られる、
請求項１に記載の方法。
【請求項４】
前記呼の発信の終了に応答して前記第２のＳＩＭに関連する前記第２のネットワークに第２のステータスアップデートメッセージを送ることをさらに備え、前記第２のステータスアップデートメッセージは、前記呼の発信の前記終了を前記第２のネットワークに通知し、前記第２のステータスアップデートメッセージを送った後、前記ＵＥデバイスは、前記第２のネットワークが前記第２のＳＩＭに向けられる特定の呼接続要求を受信することに応答して、前記第２のネットワークから特定のページングメッセージを受信する、
請求項３に記載の方法。
【請求項５】
前記呼接続は、前記第１のＳＩＭに関連する前記第１のネットワークからの呼の着信の通知の受信に応答して処理され、前記ステータスアップデートメッセージは、前記呼の着信の受信に先立って前記第２のＳＩＭに関連する前記第２のネットワークに送られる、請求項１に記載の方法。
【請求項６】
前記呼の着信の終了に応答して前記第２のＳＩＭに関連する前記第２のネットワークに第２のステータスアップデートメッセージを送ることをさらに備え、前記第２のステータスアップデートメッセージは、前記呼の着信の前記終了を前記第２のネットワークに通知し、前記第２のステータスアップデートメッセージを送った後、前記ＵＥデバイスは、前記第２のネットワークが前記第２のＳＩＭに向けられる特定の呼接続要求を受信することに応答して、前記第２のネットワークから特定のページングメッセージを受信する、
請求項５に記載の方法。
【請求項７】
前記ステータスアップデートメッセージは、付加サービスおよびショートメッセージサービスのうちの１つを使用して伝えられる、
請求項１に記載の方法。
【請求項８】
前記ステータスアップデートメッセージは、非構造化付加サービスデータ（ＵＳＳＤ）メッセージおよびショートメッセージサービス（ＳＭＳ）メッセージのうちの１つを含む、
請求項１に記載の方法。
【請求項９】
前記ＵＥデバイスは、前記第２のネットワークが前記第２のＳＩＭに向けられる前記特定の呼接続要求を受信した後、前記第２のネットワークに前記第２のステータスアップデートメッセージを送る、
請求項４または６に記載の方法。
【請求項１０】
第１のＳＩＭを受信する第１の加入者識別モジュール（ＳＩＭ）インターフェースと、
第２のＳＩＭを受信する第２のＳＩＭインターフェースと、
呼処理論理と
を備え、前記呼処理論理は、
前記第１のＳＩＭに関連する第１のネットワークと装置との間の呼接続を処理し、
前記第２のＳＩＭに関連する第２のネットワークにステータスアップデートメッセージを送る
ためのものであり、前記ステータスアップデートメッセージは、前記第２のネットワークに、前記第２のＳＩＭに向けられる呼接続要求を受信することに応答してビジーステータスメッセージを提供するように命令し、前記ステータスアップデートメッセージを送った後、前記第２のネットワークが前記呼接続要求を受信した場合、前記装置は、前記第２のネットワークが前記呼接続要求を受信したことに応答して、前記第２のネットワークからページングメッセージを受信しない、
装置。
【請求項１１】
前記呼処理論理は、前記装置から前記第１のＳＩＭに関連する前記第１のネットワークへの呼の発信を開始する要求の受信に応答して前記呼接続を処理し、前記ステータスアップデートメッセージは、前記呼の発信の開始に先立って送られ、前記呼処理論理は、前記呼の発信の終了に応答して前記第２のＳＩＭに関連する前記第２のネットワークに第２のステータスアップデートメッセージを送り、前記第２のステータスアップデートメッセージは、前記呼の発信の前記終了を前記第２のネットワークに通知し、前記第２のステータスアップデートメッセージを送った後、前記装置は、前記第２のネットワークが前記第２のＳＩＭに向けられる特定の呼接続要求を受信することに応答して、前記第２のネットワークから特定のページングメッセージを受信する、
請求項１０に記載の装置。
【請求項１２】
前記ステータスアップデートメッセージは、第１の非構造化付加サービスデータ（ＵＳＳＤ）メッセージを含み、前記第２のステータスアップデートメッセージは、第２のＵＳＳＤメッセージを含む、
請求項１１に記載の装置。
【請求項１３】
前記呼処理論理は、前記第１のＳＩＭに関連する前記第１のネットワークからの呼の着信の通知の受信に応答して前記呼接続を処理し、前記ステータスアップデートメッセージは、前記呼の着信の受信に先立って送られ、前記呼処理論理は、前記呼の着信の終了に応答して前記第２のＳＩＭに関連する前記第２のネットワークに第２のステータスアップデートメッセージを送り、前記第２のステータスアップデートメッセージは、前記呼の着信の前記終了を前記第２のネットワークに通知し、前記第２のステータスアップデートメッセージを送った後、前記装置は、前記第２のネットワークが前記第２のＳＩＭに向けられる特定の呼接続要求を受信することに応答して、前記第２のネットワークから特定のページングメッセージを受信する、
請求項１０に記載の装置。
【請求項１４】
前記ステータスアップデートメッセージは、第１の非構造化付加サービスデータ（ＵＳＳＤ）メッセージを含み、前記第２のステータスアップデートメッセージは、第２のＵＳＳＤメッセージを含む、
請求項１３に記載の装置。
【請求項１５】
第１の加入者識別モジュール（ＳＩＭ）とインターフェースするための手段と、
第２のＳＩＭとインターフェースするための手段と、
前記第１のＳＩＭに関連する第１のネットワークと装置との間の呼接続処理を処理するための手段と、
前記第２のＳＩＭに関連する第２のネットワークにステータスアップデートメッセージを送るための手段と
を備え、前記ステータスアップデートメッセージは、前記第２のネットワークに、前記第２のＳＩＭに向けられる呼接続要求を受信することに応答してビジーステータスメッセージを提供するように命令し、前記ステータスアップデートメッセージを送った後、前記第２のネットワークが前記呼接続要求を受信した場合、前記装置は、前記第２のネットワークが前記呼接続要求を受信したことに応答して、前記第２のネットワークからページングメッセージを受信しない、
装置。
【請求項１６】
前記装置から前記第１のＳＩＭに関連する前記第１のネットワークへ呼の発信を開始する要求を受信するための手段と、ここで、前記呼接続は、前記呼の発信を開始する前記要求の受信に応答して処理され、前記ステータスアップデートメッセージは、前記呼の発信の開始に先立って前記第２のＳＩＭに関連する前記第２のネットワークに送られる、
前記呼の発信の終了に応答して前記第２のＳＩＭに関連する前記第２のネットワークに第２のステータスアップデートメッセージを送るための手段と
をさらに備え、前記第２のステータスアップデートメッセージは、前記呼の発信の前記終了を前記第２のネットワークに通知し、前記第２のステータスアップデートメッセージを送った後、前記装置は、前記第２のネットワークが前記第２のＳＩＭに向けられる特定の呼接続要求を受信したことに応答して、前記第２のネットワークから特定のページングメッセージを受信する、
請求項１５に記載の装置。
【請求項１７】
前記第１のＳＩＭに関連する前記第１のネットワークから呼の着信の通知を受信するための手段と、ここで、前記呼接続は、前記呼の着信の前記通知の受信に応答して処理され、前記ステータスアップデートメッセージは、前記呼の着信の受信に先立って前記第２のＳＩＭに関連する前記第２のネットワークに送られる、
前記呼の着信の終了に応答して前記第２のＳＩＭに関連する前記第２のネットワークに第２のステータスアップデートメッセージを送るための手段と
をさらに備え、前記第２のステータスアップデートメッセージは、前記呼の着信の前記終了を前記第２のネットワークに通知し、前記第２のステータスアップデートメッセージを送った後、前記装置は、前記第２のネットワークが前記第２のＳＩＭに向けられる特定の呼接続要求を受信したことに応答して、前記第２のネットワークから特定のページングメッセージを受信する、
請求項１５に記載の装置。
【請求項１８】
プロセッサによって実行された場合に、前記プロセッサに、
第１の加入者識別モジュール（ＳＩＭ）に関連する第１のネットワークと装置との間の呼接続を処理させ
前記装置の第２のＳＩＭに関連する第２のネットワークにステータスアップデートメッセージを送らせる
命令を備え、前記ステータスアップデートメッセージは、前記第２のネットワークに、前記第２のＳＩＭに向けられる呼接続要求に応答してビジーステータスメッセージを提供するように命令し、前記ステータスアップデートメッセージを送った後、前記第２のネットワークが前記呼接続要求を受信した場合、前記装置は、前記第２のネットワークが前記呼接続要求を受信したことに応答して、前記第２のネットワークからページングメッセージを受信しない、
コンピュータ可読有形媒体。
【請求項１９】
前記プロセッサによって実行された場合に、前記プロセッサに、
前記装置から前記第１のＳＩＭに関連する前記第１のネットワークへの呼の発信を開始する要求を受信させ、ここで、前記呼接続は、前記呼の発信を開始する前記要求の受信に応答して処理され、前記ステータスアップデートメッセージは、前記呼の発信の開始に先立って前記第２のＳＩＭに関連する前記第２のネットワークに送られる、
前記呼の発信の終了に応答して前記第２のＳＩＭに関連する前記第２のネットワークに第２のステータスアップデートメッセージを送らせる
命令をさらに備え、前記第２のステータスアップデートメッセージは、前記呼の発信の前記終了を前記第２のネットワークに通知し、前記第２のステータスアップデートメッセージを送った後、前記装置は、前記第２のネットワークが前記第２のＳＩＭに向けられる特定の呼接続要求を受信したことに応答して、前記第２のネットワークから特定のページングメッセージを受信する、
請求項１８に記載のコンピュータ可読有形媒体。
【請求項２０】
前記プロセッサによって実行された場合に、前記プロセッサに、
前記第１のＳＩＭに関連する前記第１のネットワークから呼の着信の通知を受信させ、ここで、前記呼接続は、前記呼の着信の前記通知の受信に応答して処理され、前記ステータスアップデートメッセージは、前記呼の着信の受信に先立って前記第２のＳＩＭに関連する前記第２のネットワークに送られる、
前記呼の着信の終了に応答して前記第２のＳＩＭに関連する前記第２のネットワークに第２のステータスアップデートメッセージを送らせる
命令をさらに備え、前記第２のステータスアップデートメッセージは、前記呼の着信の前記終了を前記第２のネットワークに通知し、前記第２のステータスアップデートメッセージを送った後、前記装置は、前記第２のネットワークが前記第２のＳＩＭに向けられる特定の呼接続要求を受信したことに応答して、前記第２のネットワークから特定のページングメッセージを受信する、
請求項１８に記載のコンピュータ可読有形媒体。
【発明の詳細な説明】
【技術分野】
【０００１】
本開示は、一般に複数の加入者識別モジュール（ＳＩＭ）を利用するデバイスに関する。
【背景技術】
【０００２】
技術の進歩は、より小さく、より高性能なコンピューティングデバイスをもたらしている。例えば、現在、様々なポータブルパーソナルコンピューティングデバイスが存在しており、小さく、軽量で、ユーザが持ち運ぶことが簡単な、ポータブルワイヤレス電話、携帯情報端末（ＰＤＡ）、およびページングデバイス、のようなワイヤレスコンピューティングデバイスを含む。より具体的には、ポータブルワイヤレス電話、例えばセルラ電話とインターネットプロトコル（ＩＰ）電話は、ワイヤレスネットワーク上でボイス及びデータパケットを通信することができる。さらに、多くのそのようなワイヤレス電話は、ここに組み込まれる他のタイプのデバイスを含んでいてもよい。例えば、ワイヤレス電話はまた、デジタルスチルカメラ、デジタルビデオカメラ、デジタルレコーダ、およびオーディオファイルプレイヤーを含むことができる。また、そのようなワイヤレス電話は、インターネットにアクセスするために使用されることができる、ウェブブラウザアプリケーションのようなソフトウェアアプリケーションを含む実行可能命令を処理することができる。そのため、これらのワイヤレス電話は、重要なコンピューティング機能を含むことができる。
【０００３】
複数のＳＩＭ（例えばデュアルＳＩＭデバイス）を利用するワイヤレス電話は、複数のネットワークと通信することができる。ワイヤレス電話が１つのＳＩＭ（例えばモバイル発信（ＭＯ：mobile originated）呼またはモバイル着信（ＭＴ：mobile terminated）呼）に関連した呼でビジーな場合、ワイヤレス電話は別のＳＩＭに関連したページに応答でき得ない。そのため、ワイヤレス電話がネットワークのワイヤレスカバレージエリア内に位置し、連絡可能であるときでさえ、他のＳＩＭに関連したネットワークは、ワイヤレス電話が連絡不能であるとみなし得る。
【発明の概要】
【０００４】
特定の実施形態において、方法は、第１の加入者識別モジュール（ＳＩＭ）に関連した第１のネットワークとユーザ機器（ＵＥ）デバイスとの間の呼接続を処理することを含む。方法は、ＵＥデバイスの第２のＳＩＭに関連した第２のネットワークにステータスアップデートメッセージを送ることを含む。ステータスアップデートメッセージは、第２のネットワークに、第２のＳＩＭに向けられる呼接続要求の受信に応答してビジーステータスメッセージを提供するように命じる。
【０００５】
別の特定の実施形態において、装置は、第１のＳＩＭを受信する第１のＳＩＭインターフェース、第２のＳＩＭを受信する第２のＳＩＭインターフェース、および呼処理論理を含む。呼処理論理は、第１のＳＩＭに関連した第１のネットワークと装置との間の呼接続を処理し、第２のＳＩＭに関連した第２のネットワークにステータスアップデートメッセージを送り得る。ステータスアップデートメッセージは、第２のネットワークに、第２のＳＩＭに向けられる呼接続要求の受信に応答してビジーステータスメッセージを提供するように命じる。
【０００６】
別の特定の実施形態において、装置は、第１の加入者識別モジュール（ＳＩＭ）とインターフェースするための手段と、第２のＳＩＭとインターフェースするための手段とを含む。装置は、さらに第１のＳＩＭに関連した第１のネットワークと装置との間の呼接続を処理するための手段を含む。装置は、第２のＳＩＭに関連した第２のネットワークにステータスアップデートメッセージを送るための手段をさらに含む。ステータスアップデートメッセージは、第２のネットワークに、第２のＳＩＭに向けられる呼接続要求の受信に応答してビジーステータスメッセージを提供するように命じる。
【０００７】
開示された実施形態の少なくとも１つによって提供される特定の１つの利点は、呼が複数のＳＩＭを備えたＵＥデバイスに向けられる場合、発呼者は、被呼者が（例えば、第１のＳＩＭに関連した第１のネットワークを利用して）呼会話でビジーなときに、被呼者が連絡不能である不正確に表示するメッセージではなくビジーステータスメッセージを受信し得るということである。さらに、（例えば、第２のＳＩＭに関連した）第２のネットワークは、呼の間にＵＥデバイスをページングすることを避け得る。
【０００８】
本開示の他の態様、利点、および特徴は図面の簡単な説明、明細書、特許請求の範囲、セクションを含む出願全体のレビューの後で全アプリケーションのレビューの後で明らかになるだろう。
【図面の簡単な説明】
【０００９】
【図１】マルチＳＩＭステータスアップデートシステムの第１の特定の説明となる実施形態の図である。
【図２】マルチＳＩＭステータスアップデート方法の第１の説明となる実施形態のフローチャートである。
【図３】マルチＳＩＭステータスアップデート方法の第２の説明となる実施形態のフローチャートである。
【図４】マルチＳＩＭステータスアップデート方法の第３の説明となる実施形態のフローチャートである。
【図５】関連するネットワークに対するステータスアップデートメッセージを通信するために複数のＳＩＭおよび論理を含むユーザ機器（ＵＥ）デバイスのブロック図である。
【発明を実施するための形態】
【００１０】
マルチＳＩＭシステムにおいて、ワイヤレステレフォニーデバイスのような、ユーザ機器（ＵＥ）デバイスが１つのＳＩＭを使用した呼（例えば、モバイル発信（ＭＯ）呼またはモバイル着信（ＭＴ）呼）でビジーな場合、ＵＥデバイスは、別のＳＩＭに関連したページに応答することができ得ない。例えば、デュアルＳＩＭデバイスは、単一の共有ベースバンド無線周波数（ＢＢ−ＲＦ）プロセッサを含み得る。ＢＢ−ＲＦプロセッサが第１のＳＩＭのために利用されている場合、ＢＢ−ＲＦプロセッサは、第２のＳＩＭに対して利用可能ではない。ネットワークがページに対する応答を受信しない場合、ネットワークは、ＵＥデバイスがワイヤレスカバレージエリアの外側にいると決定し得る。この場合、ネットワークは、ＵＥデバイスが連絡不能またはワイヤレスカバレージエリアの外側にいる発呼者に対する指示を提供し得る。したがって、発呼者は、ＵＥデバイスが連絡可能であり、ワイヤレスカバレージエリア内にいるときに、ＵＥデバイスが連絡不能であることを不正確に示すメッセージを受信し得る。本開示は、ネットワークにステータスアップデートメッセージを伝える方法を説明する。当該ネットワークは、ＵＥデバイスが連絡不能であるよりむしろ、ビジーであることを発呼者に通知する。
【００１１】
図１を参照して、マルチＳＩＭステータスアップデートシステムが説明され、広く１００と指定される。システム１００は、複数のＳＩＭを受信することができるＵＥデバイス１０２（例えば、携帯電話）を含む。例えば、図１において説明される実施形態において、ＵＥデバイス１０２は、第１のネットワーク１０６に関連する第１のＳＩＭ１０４を受信する第１のＳＩＭインターフェース１０３、および第２のネットワーク１１０に関連する第２のＳＩＭ１０８を受信する第２のＳＩＭインターフェース１０７を含むデュアルＳＩＭデバイスである。呼１１６がＵＥデバイス１０２で受信されるか開始される前に、ＵＥデバイス１０２は、さらに１つまたは複数のネットワーク（例えば、第２のネットワーク１１０）にステータスアップデートメッセージ１１４を伝える呼処理論理１１２を含む。２つのＳＩＭ１０４、１０８は、図１において説明されるが、ＵＥデバイス１０２は、２つより多くのＳＩＭを受信することができ得る。この場合、ステータスアップデートメッセージ１１４は、（各々特定のＳＩＭに関連した）複数のネットワークに伝えられ得る。図１のシステム１００は、ＵＥデバイス１０２に向けられる発呼者デバイス１２０からの呼接続要求を受信することに応答して、発呼者デバイス１２０にビジーステータスメッセージを提供するネットワーク（例えば、第２のネットワーク１２０）ネットワークを使用可能にし得る。
【００１２】
呼処理論理１１２は、第１のＳＩＭ１０４に関連する第１のネットワーク１０６とＵＥデバイス１０２との間の呼接続を処理するように構成される。呼処理論理１１２は、第２のネットワーク１１０にステータスアップデートメッセージ１１４を送るように構成される。ステータスアップデートメッセージ１１４は、ＵＥデバイス１０２に向けられる呼接続要求（例えば、発呼者デバイス１２０または別のデバイスからのＵＥデバイス１０２への呼）を受信することに応答してビジーステータスメッセージ１１８を供給するように第２のネットワーク１１０に命じる。
【００１３】
動作において、呼処理論理１１２は、呼１１６が確立されるべき指示を受信する。例えば、ＵＥデバイス１０２は、ＵＥデバイス１０２から第１のネットワーク１０６に呼の発信１１６を開始する要求を受信し得る。説明するために、ＵＥデバイス１０２のユーザは、呼の発信の開始を要求するために、ＵＥデバイス１０２のユーザ入力デバイス（図示せず）を介して電話番号を入力する、または連絡先リストから連絡することを選択し得る。この場合、ステータスアップデートメッセージ１１４は、呼の発信１１６の開始に先立って第２のネットワーク１１０に送られ得る。別の例示として、ＵＥデバイス１０２は、第１のネットワーク１０６から呼の着信１１６の通知を受信し得る。この場合、ステータスアップデートメッセージ１１４は、呼の着信１１６の受信に先立って第２のネットワーク１１０に送られ得る。説明するために、ステータスアップデートメッセージ１１４は、通知（例えば、ＵＥデバイスに呼の着信１１６を通知する第１のネットワークからのページングメッセージ）の受信に応答して第２のネットワーク１１０に送られ得る。特定の実施形態において、ＵＥデバイス１０２が第１のネットワーク１０６からのページングメッセージに応答する前に、ステータスアップデートメッセージ１１４は、第２のネットワーク１１０に送られる。別の実施形態において、ステータスアップデートメッセージ１１４は、ＵＥデバイス１０２が第１のネットワーク１０６からのページングメッセージに応答するのと実質的に同時に第２のネットワーク１１０に送られ得る。
【００１４】
ステータスアップデートメッセージ１１４は、付加サービスを使用して通信され得る。特定の実施形態において、ステータスアップデートメッセージ１１４は、非構造化付加サービスデータ（ＵＳＳＤ：unstructured supplementary service data）メッセージを含む。例えば、ＵＳＳＤストリングは、ビジーステータスに関連するＵＳＳＤコード（例えば呼転換ステータスコード（call diverting status code）「６７」）を含み得る。代替として、ステータスアップデートメッセージ１１４は、ショートメッセージサービス（ＳＭＳ）のような別のメカニズムを使用して伝えられ得る。特定の実施形態において、ステータスアップデートメッセージ１１４は、呼の発信（例えば、モバイル発信（ＭＯ）呼）を開始する要求を受信した後、または呼の着信（例えば、モバイル着信（ＭＴ）呼）の通知を受信した後の所定の時間期間のうちに第２のネットワーク１１０に自動的に伝えられ得る。ＵＥデバイス１０２でユーザ入力の事前の受信なしにステータスアップデートメッセージ１１４を自動的に送ることによって、ステータスアップデートメッセージ１１４の通信に関連する遅延は、呼１１６の確立の途絶または潜在的な途絶を回避するように低減され得る。
【００１５】
ビジーステータスメッセージ１１８は、ＵＥデバイス１０２が連絡不能である（例えば、第２のネットワーク１１０のワイヤレスのカバレージエリアの範囲外にいる）ときに第２のネットワーク１１０によって提供される連絡不能ステータスメッセージ１２２と異なり得る。説明となる例示として、ステータスアップデートメッセージ１１４を受信することに応答して、第２のネットワーク１１０は、メッセージ「ＵＥが連絡不能である」の代わりにメッセージ「ＵＥがビジーである」を発呼者デバイス１２０に提供し得る。したがって、ＵＥデバイス１０２が到達可能で、第２のネットワーク１１０のワイヤレスのカバレージエリア内では、発呼者デバイス１２０が不正確なメッセージ（例えば手が届かないステータスメッセージ１２２）を受信しないかもしれない場合。特定の実施形態において、第２のネットワーク１１０は、グローバルシステムフォーモバイルコミュニケーション（ＧＳＭ（登録商標））ネットワークであり、ステータスアップデートメッセージ１１４は、ＵＥデバイス１０２の識別子と関連して格納されるべきホームロケーションレジスタ（ＨＬＲ）に伝達される。例えば、加入者ステータスコード（例えば、ビジーステータスコード）は、ＵＥデバイス１０２に関連した加入者の国際移動電話加入者識別番号（ＩＭＳＩ：International Mobile Subscriber Identity）と関連してＨＬＲによってＳＵＢＳＣＲＩＢＥＲ＿ＳＴＡＴＵＳフィールドに記憶され得る。
【００１６】
特定の実施形態において、ビジーステータスメッセージ１１８は、第２のネットワーク１１０に記憶され、デフォルトメッセージ、またはＵＥデバイス１０２のユーザによって構成され得る。例えば、デフォルトビジーステータスメッセージ１１８は、「ＵＥはビジーである」ことであり得るＵＥデバイス１０２のユーザは、発呼者デバイス１２０に事前に録音されたメッセージ（例えば、「私は、自分の他のＳＩＭカードを使用して現在通話中ですが、私の電話機はオンになっています。後程お掛け直し下さい」）を提供するためにビジーステータスメッセージ１１８をカスタマイズし得る。代替の実施形態において、発呼者デバイス１２０は、呼１１６の完了の後でＵＥデバイス１０２に配信されるメッセージを残すためにボイスメールに向けられ得る。この場合、ビジーステータスメッセージ１１８は、発呼者デバイス１２０に次の配信のためのメッセージ（例えばデフォルトボイスメールメッセージまたはカスタマイズされたメッセージ）を残すオプションを提供し得る。
【００１７】
呼処理論理１１２は、呼１１６の終了に応答して（例えば、呼１１６を終了するパーティのうちの１人に応答する、または呼障害に応答して）第２のネットワーク１１０に第２のステータスアップデートメッセージ（図示せず）を送り得る。第２のステータスアップデートメッセージは、呼１１６の終了を第２のネットワーク１１０に通知し得る。第２のステータスアップデートメッセージの受信に応答して、ＵＥデバイス１０２に向けられる呼が受信される場合には、第２のネットワーク１１０は、もはやビジーステータスメッセージ１１８を提供し得ない。さらに、発呼者デバイス１２０がＵＥデバイス１０２に対して次の配信のためのメッセージを残した場合に、第２のネットワーク１１０は、ＵＥデバイスに記憶されたメッセージの指示を提供し得る。特定の実施形態において、別の加入者ステータスコード（例えばアクティブステータスコード）は、呼１１６の終了の指示の受信に応答して第２のネットワーク１１０のＨＬＲによってＳＵＢＳＣＲＩＢＥＲ＿ＳＴＡＴＵＳフィールドに記憶され得る。ＵＥデバイス１０２がビジーでないことをＳＵＢＳＣＲＩＢＥＲ＿ＳＴＡＴＵＳフィールドが示す場合、第２のネットワーク１１０からのページング動作が再開され得る。例えば、発呼者デバイス１２０からの呼接続要求の受信に応答して、第２のネットワーク１１０は、発呼者デバイス１２０からの電話の着信をＵＥデバイス１０２に通知する、ページングメッセージ１２４をＵＥデバイス１０２に送り得る。
【００１８】
図１は、ＵＥデバイス１０２がビジーであることをＳＵＢＳＣＲＩＢＥＲ＿ＳＴＡＴＵＳフィールドが示す場合、ＵＥデバイス１０２に向けられた呼接続要求を受信する、第２のネットワーク１１０に応答して第２のネットワーク１１０からのページングメッセージ１２４をＵＥデバイス１０２が受信し得ないことをさらに説明する。第２のネットワーク１１０に関連したオペレータまたはサービスプロバイダは、プランニングおよび最適化のためにこの情報を利用し得る。例えば、第２のネットワーク１１０の基地局からのＵＥデバイス１０２のページングに関連する経費は、低減され得る。代替の実施形態において、デュアルＳＩＭ ＵＥデバイス１０２のＳＩＭ１０４および１０８の各々は、それ自身専用のＢＢ−ＲＦプロセッサに関連し得る。この場合、ＵＥデバイス１０２が異なるネットワークからページを同時に受信し処理することができ得る一方、ステータスアップデートメッセージ１１４は、ＵＥデバイス１０２にページングメッセージ１２４を送ることを避けるようにすることができ得る。したがって、図１のシステム１００は、発呼者デバイス１２０からＵＥデバイス１０２への試みられた呼のセットアップに関連するシグナリングリソース（例えば、ネットワーク帯域幅）を無駄にすることを避けることができ得る。
【００１９】
図２を参照して、マルチＳＩＭステータスアップデート方法の特定の実施形態が説明される。図２の方法は、ネットワークが発呼者に連絡不能ステータスメッセージではなくビジーステータスメッセージを提供できるようにし得る。
【００２０】
２０２で、方法は、第１のＳＩＭに関連する第１のネットワークとＵＥデバイスとの間の呼接続を処理することを含む。第１のＳＩＭは、第１のネットワークに関連し得る。例えば、ＵＥデバイスは、第１のネットワーク１０６に関連する第１のＳＩＭ１０４、および第２のネットワーク１１０に関連する第２のＳＩＭ１０８を受信する図１のＵＥデバイス１０２であり得る。
【００２１】
２０４で、方法は、ＵＥデバイスの第２のＳＩＭに関連する第２のネットワークにステータスアップデートメッセージを送ることを含む。ステータスアップデートメッセージは、第２のネットワークに、第２のＳＩＭに向けられる呼接続要求の受信に応答してビジーステータスメッセージを提供するように命じる。例えば、図１のＵＥデバイス１０２は、ＵＥデバイス１０２の第２のＳＩＭ１０８に向けられた呼接続要求（例えば、発呼者デバイス１２０からの呼）を受信することに応答して、第２のネットワーク１１０にビジーステータスメッセージ１１８を提供するように命じるために、ステータスアップデートメッセージ１１４を第２のネットワーク１１０に送り得る。
【００２２】
１つの実施形態において、要求は、ＵＥデバイスから第１のＳＩＭに関連する第１のネットワークへの呼の発信を開始するために受信される（図３を参照）。この場合、ステータスアップデートメッセージは、呼の発信の開始に先立って第２のＳＩＭに関連する第２のネットワークに送られ得る。別の実施形態において、ＵＥデバイスは、第１のＳＩＭに関連する第１のネットワークから呼の着信の通知を受信する（図４を参照）。この場合、ステータスアップデートメッセージは、呼の着信の受信に先立って第２のＳＩＭに関連する第２のネットワークに送られ得る。
【００２３】
図３を参照して、マルチＳＩＭステータスアップデート方法の別の特定の実施形態が説明される。図３において説明される実施形態において、ＵＥデバイス（例えば、図１のＵＥデバイス１０２）は、呼の発信を開始する要求を受信する。呼の発信の開始に先立って、ステータスアップデートメッセージは、ネットワークが発呼者に連絡不能ステータスメッセージではなくビジーステータスメッセージを提供することを可能にするために、ネットワークに送られ得る。
【００２４】
３０２で、方法は、少なくとも第１のＳＩＭおよび第２のＳＩＭに接続される、またはそれらを含むＵＥデバイスで、ＵＥデバイスから第１のＳＩＭに関連する第１のネットワークへの呼の発信を開始する要求を受信することを含む。例えば、図１のＵＥデバイス１０２は、第１のＳＩＭ１０４に関連する第１のネットワーク１０６への呼１１６を開始する要求を受信し得る。
【００２５】
３０４で、方法は、第１のＳＩＭに関連する第１のネットワークとＵＥデバイスとの間の呼接続を処理することを含む。３０６で、呼の発信の開始に先立って、ステータスアップデートメッセージ（例えば、第１のＵＳＳＤメッセージ）は、第２のＳＩＭに関連する第２のネットワークに送られる。例えば、呼１１６の開始に先立って、図１のＵＥデバイス１０２は、第２のネットワーク１１０にステータスアップデートメッセージ１１４を送り得る。ステータスアップデートメッセージ１１４は、ＵＥデバイス１０２に向けられた呼接続要求（例えば、発呼者デバイス１２０からの発呼者デバイス１２０とＵＥデバイス１０２との間の呼をセットアップする要求）を受信したことに応答して、第２のネットワーク１１０にビジーステータスメッセージ１１８を供給するように命じる。
【００２６】
３０８で、方法は、発信の終了に応答して第２のＳＩＭに関連する第２のネットワークに第２のステータスアップデートメッセージ（例えば、第２のＵＳＳＤメッセージ）を送ることを含む。例えば、図１のＵＥデバイス１０２は、第２のネットワーク１１０に第２のステータスアップデートメッセージ（図１に示されない）を送り得る。第２のステータスアップデートメッセージは、呼の発信１１６の終了を第２のネットワーク１１０に通知する。特定の実施形態において、第２のネットワーク１１０は、第２のステータスアップデートメッセージが受信されるまで、ビジーステータスメッセージ１１８（例えば、「ＵＥがビジーである」）を提供し得る。さらに、発呼者デバイス１２０からの呼が第２のネットワーク１１０で受信される場合、第２のネットワーク１１０は、第２のステータスアップデートメッセージが受信されるまで、ＵＥデバイス１０２にページングメッセージ１２４を送り得ない。
【００２７】
図４を参照して、マルチＳＩＭステータスアップデート方法の別の特定の実施形態が説明される。図４において説明される実施形態において、ＵＥデバイス（例えば、図１のＵＥデバイス１０２）は、呼の着信の通知を受信する。呼の着信の受信に先立って、ステータスアップデートメッセージは、ネットワークが発呼者に連絡不能ステータスメッセージではなくビジーステータスメッセージを提供することを可能にするためにネットワークに送られ得る。
【００２８】
４０２で、方法は、少なくとも第１のＳＩＭに接続および第２のＳＩＭに接続されたＵＥデバイスで、第１のＳＩＭに関連する第１のネットワークから呼の着信の通知を受信することを含む。例えば、図１のＵＥデバイス１０２は、第１のＳＩＭ１０４に関連する第１のネットワーク１０６から呼の着信１１６の通知を受信し得る。
【００２９】
４０４で、方法は、第１のＳＩＭに関連する第１のネットワークとＵＥデバイスとの間の呼接続を処理することを含む。４０６で、呼の着信の受信に先立って、ステータスアップデートメッセージ（例えば、第１のＵＳＳＤメッセージ）は、第２のＳＩＭに関連する第２のネットワークに送られる。例えば、呼の着信１１６の受信に先立って、ステータスアップデートメッセージ１１４は、第２のネットワーク１１０に送られ得る。ステータスアップデートメッセージ１１４は、第２のネットワーク１１０に、ＵＥデバイス１０２に向けられる呼接続要求（例えば、発呼者デバイス１２０からＵＥデバイス１０２への呼）に応答してビジーステータスメッセージ１１８を提供するように命じる。
【００３０】
４０８で、方法は、呼の着信の終了に応答して第２のＳＩＭに関連する第２のネットワークに第２のステータスアップデートメッセージ（例えば、第２のＵＳＳＤメッセージ）を送ることを含む。例えば、図１のＵＥデバイス１０２は、第２のネットワーク１１０に第２のステータスアップデートメッセージ（図１に示されない）を送り得る。第２のステータスアップデートメッセージは、呼の着信１１６の終了を第２のネットワーク１１０に通知する。特定の実施形態において、第２のネットワーク１１０は、第２のステータスアップデートメッセージが受信されるまで、ビジーステータスメッセージ１１８（例えば、「ＵＥがビジーである」）を提供し得る。さらに、発呼者デバイス１２０からの呼が受信される場合、第２のネットワーク１１０は、第２のステータスアップデートメッセージが受信されるまで、ＵＥデバイス１０２にページングメッセージ１２４を送り得ない。
【００３１】
図５を参照して、携帯用電子デバイスの特定の説明となる実施形態のブロック図は、５００と表され一般に指定される。１つの実施形態において、図５の携帯用電子デバイス５００は、図１のＵＥデバイス１０２内に含むまたは含まれる。さらに、図２−４に記述される方法のすべてまたは一部は、図５の携帯用電子デバイス５００で実行され得る。携帯用電子デバイス５００は、メモリ５３２に接続される、デジタル信号プロセッサ（ＤＳＰ）５１０のような、プロセッサを含む。
【００３２】
メモリ５３２は、命令５６０を記憶する非一時的有形コンピュータ可読記憶媒体である。命令５６０は、ＤＳＰ５１０によって実行可能であり得る。例えば、命令５６０は、（第１のＳＩＭインターフェース５７１を介して携帯用電子デバイス５００に接続し得る）第１のＳＩＭ５７０に関連する第１のネットワーク（図５に示されない）と携帯用電子デバイス５００との間の呼接続を処理する命令を含み得る。例えば、呼接続は、呼の発信を開始する要求を受信することに応答してまたは呼の着信の通知に応答して処理され得る。命令５６０は、（第２のＳＩＭインターフェース５７３を介して携帯用電子デバイス５００に接続し得る）第２のＳＩＭ５７２に関連する、第２のネットワーク（図５に示されない）にステータスアップデートメッセージを送る命令をさらに含み得る。特定の実施形態において、メモリ５３２は、ステータスアップデートメッセージに含まれ得るビジーステータスメッセージ（例えば、「ＵＥはビジーである」）を記憶する。代替として、ビジーステータスメッセージは、ネットワークで記憶され、携帯用電子デバイス５００からのステータスアップデートメッセージの受信に応答して検索され得る。命令５６０は、呼の終了に応答して第２のＳＩＭ５７２に関連する第２のステータスアップデートメッセージを第２のネットワークに送る命令をさらに含み得る。
【００３３】
図５は、さらにデジタル信号プロセッサ５１０およびディスプレイデバイス５２８に接続されるディスプレイ制御器５２６を示す。符号器／復号器（ＣＯＤＥＣ）５３４は、さらにデジタル信号プロセッサ５１０に接続され得る。スピーカ５３６とマイクロフォン５３８は、ＣＯＤＥＣ５３４と接続されることができる。図５は、さらにワイヤレス制御器５４０がデジタル信号プロセッサ５１０およびワイヤレスアンテナ５４２に接続されることができることを示す。特定の実施形態において、ＤＳＰ５１０、ディスプレイ制御器５２６、メモリ５３２、ＣＯＤＥＣ５３４およびワイヤレス制御器５４０は、システムインパッケージまたはシステムオンチップデバイス５２２に含まれ得る。特定の実施形態において、入力デバイス５３０と電力供給装置５４４は、システムオンチップデバイス５２２に接続される。さらに、特定の実施形態において、図５で説明されるように、ディスプレイデバイス５２８、入力デバイス５３０、スピーカ５３６、マイクロフォン５３８、ワイヤレスアンテナ５４２、電力供給装置５４４、第１のＳＩＭ５７０、第１のＳＩＭインターフェース５７１、第２のＳＩＭ５７２、および第２のＳＩＭインターフェース５７３は、システムオンチップデバイス５２２の外部にある。しかしながら、ディスプレイデバイス５２８、入力デバイス５３０、スピーカ５３６、マイクロフォン５３８、ワイヤレスアンテナ５４２、電力供給装置５４４、第１のＳＩＭ５７０、第１のＳＩＭインターフェース５７１、第２のＳＩＭ５７２、および第２のＳＩＭインターフェース５７３の各々は、インターフェースまたは制御器のようなシステムオンチップデバイス５２２の構成要素と接続されることができる。
【００３４】
特定の実施形態において、ＤＳＰ５１０は、第１のＳＩＭ５７０に関連する第１のネットワークと携帯用電子デバイス５００との間の呼接続を処理する機能を実行する。ワイヤレス制御器５４０は、（例えば、ワイヤレスアンテナ５４２を介して）第２のＳＩＭ５７２に関連する第２のネットワークにステータスアップデートメッセージを送る機能を実行し得る。ステータスアップデートメッセージは、第２のネットワークに、第２のＳＩＭ５７２に向けられる呼接続要求を受信することに応答してビジーステータスメッセージを提供するように命じ得る。
【００３５】
特定の実施形態において、ＤＳＰ５１０は、呼の発信を開始する要求の受信に応答して呼接続を処理し得る。この場合、ディスプレイ５２０、入力デバイス５３０、マイクロフォン５３８、またはそれらの組み合わせは、呼の発信を開始する要求を受信する機能を実行し得る。例えば、ディスプレイ５２０は、連絡先リストから連絡の選択を受信するまたは電話番号を受信する、タッチスクリーンディスプレイであり得る。別の例示として、呼の発信を開始する要求は、マイクロフォン５３８を介して受信される音声コマンドの形式をしているかもしれない。ワイヤレス制御器５４０は、呼の発信の開始に先立って（例えば、ワイヤレスアンテナ５４２を介して）第２のＳＩＭ５７２に関連する第２のネットワークにステータスアップデートメッセージを送る機能を実行し得る。ワイヤレス制御器５４０は、呼の発信の終了に応答して（例えば、ワイヤレスアンテナ５４２を介して）第２のＳＩＭ５７２に関連する第２のネットワークに第２のステータスアップデートメッセージを送る機能を実行し得る。第２のステータスアップデートメッセージは、呼の発信の終了を第２のネットワークに通知し得る。
【００３６】
別の特定の実施形態において、ＤＳＰ５１０は、第１のＳＩＭ５７０に関連する第１のネットワークからの呼の着信の通知の受信に応答して呼接続を処理し得る。ワイヤレス制御器５４０は、（例えば、ワイヤレスアンテナ５４２を介して）呼の着信の通知を受信する機能を実行し得る。ワイヤレス制御器５４０は、呼の着信の受信に先立って（例えばワイヤレスのアンテナ５４２を介して）第２のＳＩＭ５７２に関連する第２のネットワークにステータスアップデートメッセージを送る機能を実行し得る。ワイヤレス制御器５４０は、呼の着信の終了に応答して（例えば、ワイヤレスアンテナ５４２を介して）第２のＳＩＭ５７２に関連する第２のネットワークに第２のステータスアップデートメッセージを送る機能を実行し得る。第２のステータスアップデートメッセージは、呼の着信の終了を第２のネットワークに通知し得る。
【００３７】
当業者は、様々な説明のための論理ブロック、構成、モジュール、回路、および、ここにおいて開示される実施形態に関連して説明されたアルゴリズムステップは、電子ハードウェア、コンピュータソフトウェアあるいは両方の組合せとして実施されることができる、ということをさらに理解するであろう。様々な実例となる構成要素、ブロック、構成、モジュール、回路、およびステップは、一般に、それらの機能性に関して以上で説明された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００３８】
本明細書で開示された実施形態に関して記述された方法またはアルゴリズムのステップは、ハードウェアにおいて直接的に、プロセッサによって実行されるソフトウェアモジュールによって、あるいはこれら２つの組み合わせによって具体化されうる。ソフトウェアモジュールは、ランダムアクセスメモリ（ＲＡＭ）メモリ、フラッシュメモリ、読み取り専用メモリ（ＲＯＭ）、プログラム読取専用メモリ（ＰＲＯＭ）、消去可能プログラマブル読取専用メモリ（ＥＰＲＯＭ）、電子的に消去可能プログラマブル読取専用メモリ（ＥＥＰＲＯＭ）、レジスタ、ハードディスク、リムーバブルディスク、コンパクトディスク読取専用メモリ（ＣＤ−ＲＯＭ）、または、当技術分野で知られているいずれの他の形の記憶媒体において常駐し得る。典型的な記憶媒体は、プロセッサがそこから情報を読み取り、またそこに情報を書き込むことができるようにプロセッサに接続される。あるいは、この記憶媒体は、プロセッサに統合されうる。プロセッサと記憶媒体は、特定用途集積回路（ＡＳＩＣ）において常駐していてもよい。ＡＳＩＣは、コンピューティングデバイスまたはユーザ端末において常駐することができる。あるいは、プロセッサと記憶媒体は、コンピューティングデバイスまたはユーザ端末において、ディスクリートコンポーネントとして常駐することができる。
【００３９】
開示される実施形態の前の説明は、当業者が開示された実施形態を行うまたは使用することを可能にするために提供される。これらの実施形態に対する様々な修正は、当業者にとっては容易に明らかであろう、そして、ここにおいて定義された包括的な原理は、本開示の精神あるいは範囲から逸脱することなく、他の実施形態に適用されることができる。
したがって、本開示は、本明細書に説明される実施形態に限定されるように意図されていないが、特許請求の範囲によって規定されるように原理及び新規な特徴に整合する最も広い範囲が与えられている。
以下に、本願出願の当初の特許請求の範囲に記載された発明を付記する。
［Ｃ１］
第１の加入者識別モジュール（ＳＩＭ）に関連する第１のネットワークとユーザ機器（ＵＥ）デバイスとの間の呼接続を処理することと、
前記ＵＥデバイスの第２のＳＩＭに関連する第２のネットワークにステータスアップデートメッセージを送ることと
を備え、前記ステータスアップデートメッセージは、前記第２のネットワークに、前記第２のＳＩＭに向けられる呼接続要求を受信することに応答してビジーステータスメッセージを提供するように命令する、
方法。
［Ｃ２］
前記ビジーステータスメッセージは、前記ＵＥデバイスが連絡不能である場合に前記第２のネットワークによって提供される連絡不能ステータスメッセージと異なる、Ｃ１に記載の方法。
［Ｃ３］
前記呼接続は、前記ＵＥデバイスから前記第１のＳＩＭに関連する前記第１のネットワークへ呼の発信を開始する要求の受信に応答して処理され、前記ステータスアップデートメッセージは、前記呼の発信の開始に先立って前記第２のＳＩＭに関連する前記第２のネットワークに送られる、
Ｃ１に記載の方法。
［Ｃ４］
前記呼の発信の終了に応答して前記第２のＳＩＭに関連する前記第２のネットワークに第２のステータスアップデートメッセージを送ることをさらに備え、前記第２のステータスアップデートメッセージは、前記呼の発信の前記終了を前記第２のネットワークに通知する、
Ｃ３に記載の方法。
［Ｃ５］
前記呼接続は、前記第１のＳＩＭに関連する前記第１のネットワークから呼の着信の通知の受信に応答して処理され、前記ステータスアップデートメッセージは、前記呼の着信の受信に先立って前記第２のＳＩＭに関連する前記第２のネットワークに送られる、Ｃ１に記載の方法。
［Ｃ６］
前記呼の着信の終了に応答して前記第２のＳＩＭに関連する前記第２のネットワークに第２のステータスアップデートメッセージを送ることをさらに備え、前記第２のステータスアップデートメッセージは、前記呼の着信の前記終了を前記第２のネットワークに通知する、
Ｃ５に記載の方法。
［Ｃ７］
前記ステータスアップデートメッセージは、付加サービスおよびショートメッセージサービスのうちの１つを使用して伝えられる、
Ｃ１に記載の方法。
［Ｃ８］
前記ステータスアップデートメッセージは、非構造化付加サービスデータ（ＵＳＳＤ）メッセージおよびショートメッセージサービス（ＳＭＳ）メッセージのうちの１つを含む、
Ｃ１に記載の方法。
［Ｃ９］
前記ステータスアップデートメッセージを送った後、前記ＵＥデバイスは、前記第２のＳＩＭに向けられる前記呼接続要求を受信する前記第２のネットワークに応答して、前記第２のネットワークからページングメッセージを受信しない、
Ｃ１に記載の方法。
［Ｃ１０］
第１のＳＩＭを受信する第１の加入者識別モジュール（ＳＩＭ）インターフェースと、
第２のＳＩＭを受信する第２のＳＩＭインターフェースと、
呼処理論理と
を備え、前記呼処理論理は、
前記第１のＳＩＭに関連する第１のネットワークと装置との間の呼接続を処理し、
前記第２のＳＩＭに関連する第２のネットワークにステータスアップデートメッセージを送る
ためのものであり、前記ステータスアップデートメッセージは、前記第２のネットワークに、前記第２のＳＩＭに向けられる呼接続要求に応答してビジーステータスメッセージを提供するように命令する、
装置。
［Ｃ１１］
前記呼処理論理は、前記装置から前記第１のＳＩＭに関連する前記第１のネットワークへの呼の発信を開始する要求の受信に応答して前記呼接続を処理し、前記ステータスアップデートメッセージは、前記呼の発信の開始に先立って送られ、前記呼処理論理は、前記呼の発信の終了に応答して前記第２のＳＩＭに関連する前記第２のネットワークに第２のステータスアップデートメッセージを送り、前記第２のステータスアップデートメッセージは、前記呼の発信の前記終了を前記第２のネットワークに通知する、
Ｃ１０に記載の装置。
［Ｃ１２］
前記ステータスアップデートメッセージは、第１の非構造化付加サービスデータ（ＵＳＳＤ）メッセージを含み、前記第２のステータスアップデートメッセージは、第２のＵＳＳＤメッセージを含む、
Ｃ１１に記載の装置。
［Ｃ１３］
前記呼処理論理は、前記第１のＳＩＭに関連する前記第１のネットワークから呼の着信の通知の受信に応答して前記呼接続要求を処理し、前記ステータスアップデートメッセージは、前記呼の着信の受信に先立って送られ、前記呼処理論理は、前記呼の着信の終了に応答して前記第２のＳＩＭに関連する前記第２のネットワークに第２のステータスアップデートメッセージを送り、前記第２のステータスアップデートメッセージは、前記呼の着信の前記終了を前記第２のネットワークに通知する、
Ｃ１０に記載の装置。
［Ｃ１４］
前記ステータスアップデートメッセージは、第１の非構造化付加サービスデータ（ＵＳＳＤ）メッセージを含み、前記第２のステータスアップデートメッセージは、第２のＵＳＳＤメッセージを含む、
Ｃ１３に記載の方法。
［Ｃ１５］
第１の加入者識別モジュール（ＳＩＭ）とインターフェースするための手段と、
第２のＳＩＭとインターフェースするための手段と、
前記第１のＳＩＭに関連する第１のネットワークと装置との間の呼接続処理を処理するための手段と、
前記ＵＥデバイスの第２のＳＩＭに関連する第２のネットワークにステータスアップデートメッセージを送るための手段と
を備え、前記ステータスアップデートメッセージは、前記第２のネットワークに、前記第２のＳＩＭに向けられる呼接続要求を受信することに応答してビジーステータスメッセージを提供するように命令する、
装置。
［Ｃ１６］
前記装置から前記第１のＳＩＭに関連する前記第１のネットワークへ呼の発信を開始する要求を受信するための手段と、ここで、前記呼接続要求は、前記呼の発信を開始する前記要求の受信に応答して処理され、前記ステータスアップデートメッセージは、前記呼の発信の開始に先立って前記第２のＳＩＭに関連する前記第２のネットワークに送られる、
前記呼の発信の終了に応答して前記第２のＳＩＭに関連する前記第２のネットワークに第２のステータスアップデートメッセージを送るための手段と
をさらに備え、前記第２のステータスアップデートメッセージは、前記呼の発信の前記終了を前記第２のネットワークに通知する、
Ｃ１５に記載の装置。
［Ｃ１７］
前記第１のＳＩＭに関連する前記第１のネットワークから呼の着信の通知を受信するための手段と、ここで、前記呼接続は、前記呼の着信の前記通知の受信に応答して処理され、前記ステータスアップデートメッセージは、前記呼の着信の受信に先立って前記第２のＳＩＭに関連する前記第２のネットワークに送られる、
前記呼の着信の終了に応答して前記第２のＳＩＭに関連する第２のネットワークに第２のステータスアップデートメッセージを送るための手段と
をさらに備え、前記第２のステータスアップデートメッセージは、前記呼の着信の前記終了を前記第２のネットワークに通知する、
Ｃ１５に記載の装置。
［Ｃ１８］
プロセッサによって実行された場合に、前記プロセッサに、
第１の加入者識別モジュール（ＳＩＭ）に関連する第１のネットワークと装置との間のコール接続を処理させ
前記装置の第２のＳＩＭに関連する第２のネットワークにステータスアップデートメッセージを送らせる
命令を備え、前記ステータスアップデートメッセージは、前記第２のネットワークに、前記第２のＳＩＭに向けられる呼接続要求に応答してビジーステータスメッセージを提供するように命令する、
コンピュータ可読有形媒体。
［Ｃ１９］
前記プロセッサによって実行された場合に、前記プロセッサに、
第１の装置から前記第１のＳＩＭに関連する前記第１のネットワークへの呼の発信を開始する要求を受信させ、ここで、前記呼接続要求は、前記呼の発信を開始する前記要求の受信に応答して処理され、前記ステータスアップデートメッセージは、前記呼の発信の開始に先立って前記第２のＳＩＭに関連する前記第２のネットワークに送られる、
前記呼の発信の終了に応答して前記第２のＳＩＭに関連する前記第２のネットワークに第２のステータスアップデートメッセージを送らせる
命令をさらに備え、前記第２のステータスアップデートメッセージは、前記呼の発信の前記終了を前記第２のネットワークに通知する、
Ｃ１８に記載のコンピュータ可読有形媒体。
［Ｃ２０］
前記プロセッサによって実行された場合に、前記プロセッサに、
前記第１のＳＩＭに関連する前記第１のネットワークから呼の着信の通知を受信させ、ここで、前記呼接続は、前記呼の着信の前記通知の受信に応答して処理され、前記ステータスアップデートメッセージは、前記呼の着信の受信に先立って前記第２のＳＩＭに関連する前記第２のネットワークに送られる、
前記呼の着信の終了に応答して前記第２のＳＩＭに関連する前記第２のネットワークに第２のステータスアップデートメッセージを送らせる
命令をさらに備え、前記第２のステータスアップデートメッセージは、前記呼の着信の前記終了を前記第２のネットワークに通知する、
Ｃ１８に記載のコンピュータ可読有形媒体。
【図１】
0005752808.tif 000002
【図２】
0005752808.tif 000003
【図３】
0005752808.tif 000004
【図４】
0005752808.tif 000005
【図５】
0005752808.tif 000006